(57)【要約】【課題】カーブする舗装体の外周側に適用可能で且つ曲率に応じて取り替える必要のないエンドプレートを備えた締固め装置を提案する。【解決手段】本発明の締固め装置は、下層上にまき出された舗装材を敷均して締固めるスクリード１，２と、該スクリード２の側方において前後方向に延設されると共に下辺部１１がスクリードよりも下方へ突出して下層に当接し、舗装体側縁部を成形するエンドプレート１０と、を含んで構成され、そのエンドプレート１０が、スクリード２の側方に枢設１６されて左右方向へ揺動可能とされると共に、該エンドプレート１０の後端から後方へ、スクリード２の下面以下の高さとした型枠部１２が延長されていることを特徴とする。【選択図】図１
2008038450.tif 000002
【特許請求の範囲】
【請求項１】
下層上にまき出された舗装材を敷均して締固めるスクリードと、
該スクリードの側方において前後方向に延設されると共に下辺部が前記スクリードよりも下方へ突出して前記下層に当接し、舗装体側縁部を成形するエンドプレートと、
を含んで構成される締固め装置において、
前記エンドプレートが、前記スクリードの側方に枢設されて左右方向へ揺動可能とされると共に、該エンドプレートの後端から後方へ、前記スクリードの下面以下の高さとした型枠部が延長されていることを特徴とする締固め装置。
【請求項２】
前記型枠部の内側面に、舗装体側縁部の肩部分を面取り成形するためのオーバーハング部が突設されていることを特徴とする請求項１記載の締固め装置。
【請求項３】
前記エンドプレートは、
その後端部にヒンジ部が設けられ、該ヒンジ部により、前記スクリードの側面に固定されたサイドプレートに枢着されており、
該サイドプレートの下側を通して前記型枠部が後方へ延長されていることを特徴とする請求項１又は請求項２記載の締固め装置。
【請求項４】
前記サイドプレートの下端縁にフランジが形成され、該フランジが前記型枠部の上面に当接することを特徴とする請求項３記載の締固め装置。
【請求項５】
前記エンドプレートは、
下端縁に形成したフランジの下面に所定の長さの型枠部材を固定した構造をもち、
該型枠部材が前記下辺部及び前記型枠部となることを特徴とする請求項１又は請求項２記載の締固め装置。
【発明の詳細な説明】
【技術分野】
【０００１】
本発明は、道路、駐車場、テニスコート等の舗装体を舗設する際に、アスファルト混合物等を敷均し、締固める締固め装置に関する。
【背景技術】
【０００２】
たとえば、道路にアスファルト混合物を敷均し、締固めて舗装体を舗設する際には、その舗装体の側縁部が崩れたりすることの無いように型枠をあてがって、締固め装置を備えたアスファルトフィニッシャにより敷均し、締固める作業が行われる。この木製の型枠は、施工後には取り除かれる消耗品であるうえ、その設置、撤去作業に労力、時間を要するので、資源の浪費抑制、コストダウンの観点から、型枠を使用しない無型枠施工を実施できた方が良い。この無型枠施工を実行するために、特許文献１のような、アスファルトフィニッシャに締固め装置として装着されたスクリードに取り付けるエンドプレートが提案されている。
【０００３】
エンドプレートは、スクリードの側方に前後方向（進行方向）へ延設して配置され、その下辺部がスクリードの下面よりも下方へ突出して舗装体の下層（すなわち道路なら路盤又は基層）に当接する。したがって、当該エンドプレートを型枠の代わりとして、舗装体の側縁部を成形することができる。
【０００４】
さらに、特許文献１のアスファルトフィニッシャにおいては、エンドプレート内側のスクリード端部後方に、たとえばモータ加振手段により上下動して舗装体端部を締固めるプレート状の端部締固め用スクリード（１１，１２）を配設した構造を有する。そして、この端部締固め用スクリードの側方におけるエンドプレート部分について、カーブ箇所の舗装体を成形する場合にその曲率に合わせるため、図１８〜図２０に開示されるような仕組みも提案されている（公報段落００３７〜００４３参照）。
【特許文献１】特開平５−１９５５１０号公報
【発明の開示】
【発明が解決しようとする課題】
【０００５】
特許文献１の図１９及び図２０に示されたエンドプレートは、カーブする舗装体の内周側縁部を成形するものであるが、特許文献１−図１９の湾曲式エンドプレートの場合は、カーブの曲率ごとに端部締固め用スクリード及びエンドプレートを取り替えなければならない。つまり、各種曲率用の形状とした端部締固め用スクリード及びエンドプレートを多数取り揃え、カーブに合わせて交換しながら使う必要があり、コスト的にも作業性から見ても具合が良くない。
【０００６】
一方の特許文献１−図２０のエンドプレートの場合は、エンドプレートを中折れ式としてあり、そのヒンジ（３４）によりカーブの曲率に合わせて端部締固め用スクリードごとエンドプレート後半（９Ｇ）の角度調整を行うことができる。しかし、この中折れ式では、端部締固め用スクリードとエンドプレートを図示とは逆の内向きに回動させることができない。つまり、舗装体の外周側縁部に対応して内向きに曲げることができない。
【０００７】
本願図５に示すように、カーブにおける舗装体の側縁部を成形する場合、スクリードＳの側方に前後方向へ直線状に配設されるエンドプレートＥは、舗装体の外周側において、その後端部Ｅｒと設計線の舗装体側縁Ｈとの間に隙間Ｇが生じ、且つその前端部Ｅｆが設計線の舗装体側縁Ｈよりも内側に入り込んでしまい、これらが舗装体側縁部の仕上げ精度に影響する。
【０００８】
これを防ぐために、特許文献１のようなカーブ対応のエンドプレートを適用したいところであるが、上述のように、湾曲式のエンドプレートでは曲率が変わる度に取り替えねばならず不都合であるし、中折れ式のエンドプレートでは内向きに曲がらないので外周側に適用することができない。加えて、いずれの方式であっても、エンドプレートの前端部が設計線よりも内側に入り込む不具合には対処できない。
【０００９】
本発明はこのような事情に鑑みて発案されたもので、カーブする舗装体の外周側に適用可能で且つ曲率に応じて取り替える必要のないエンドプレートを備えた締固め装置を提案するものである。
【課題を解決するための手段】
【００１０】
本発明によれば、下層上にまき出された舗装材を敷均して締固めるスクリードと、該スクリードの側方において前後方向に延設されると共に下辺部がスクリードよりも下方へ突出して下層に当接し、舗装体側縁部を成形するエンドプレートと、を含んで構成される締固め装置において、そのエンドプレートが、スクリードの側方に枢設されて左右方向へ揺動可能とされると共に、該エンドプレートの後端から後方へ、スクリードの下面以下の高さとした型枠部が延長されていることを特徴とする。
【発明の効果】
【００１１】
本発明の締固め装置は、スクリードの側方に設けられるエンドプレートを揺動可能とし、且つその後端から後方へ型枠部を延長したことにより、カーブする舗装体の曲率に応じてエンドプレートを揺動制御し、舗装体側縁部を従来より精度良く仕上げることができる。すなわち、カーブする舗装体の外周側においては、エンドプレートを、その前部が外側へ開く方向へ動かすことにより、図５に示す前端部Ｅｆについて設計線内側への入り込みを解決することができる。且つ、エンドプレートの後端から後方へ延長された型枠部がスクリードの下面以下の高さとなっていることから、当該型枠部は、スクリードの下へ潜り込むよう動くことができるので、前部を外側へ開く方向へ動かす制御で同時に、図５に示す後端部Ｅｒについても、隙間Ｇの発生を解消することができる。要するに、スクリードを全体的に、舗装体の設計線に整合するように回動制御できるようにしたことで、課題を解決するものである。
【００１２】
このように本発明によれば、従来技術のように曲率に応じて取り替えずとも済み、コンピュータ等による自動制御で外内周の曲率に応じた姿勢をとることのできるエンドプレートを備えた締固め装置が提供される。
【発明を実施するための最良の形態】
【００１３】
本発明に係る締固め装置のエンドプレートについて、好適な実施形態を図１〜３に示している。
【００１４】
この例の締固め装置を備えるアスファルトフィニッシャは、全体像の図示を省略しているが、自走式の車両であるトラクタの前方に、舗装材であるアスファルト混合物を貯蔵するホッパ及びホッパゲートと、ホッパゲートからアスファルト混合物を送り出すためのフィーダコンベアと、を設けた構造を有している。また、トラクタの後方には、ホッパゲートから下層（たとえば路盤や基層）上にまき出されたアスファルト混合物を進行方向（前後方向）に対し横方向（左右方向）へ送っていくためのスクリューコンベアと、該スクリューコンベアにより横方向へ敷き延ばされたアスファルト混合物を敷均し、締固めるための締固め装置であるスクリードと、が設けられている（たとえば特開平６−１９３０１２号公報参照）。
【００１５】
このようなアスファルトフィニッシャにおいて、上下方向に揺動可能なレベリングアームにより高さ調整可能とされたフレームの下部に、センタのスクリード１と、該スクリード１に対し左右方向へスライドして、舗装体の幅に合わせてスクリード全幅の調整を行えるようにしたサイドのスクリード２と、が前後にずらして、それぞれ支持部材により取り付けられている。これら幅調整可能なスクリード１，２が、スクリューコンベアにより敷き延ばされたアスファルト混合物を押圧し、敷均して締固める役割を担う。
【００１６】
このような、下層上にまき出された舗装材を敷均して締固めるスクリード２の側方に、エンドプレート１０が設けられている。エンドプレート１０は、スクリード２の側方において前後方向に延設されており、その下辺部１１が、スクリード２よりも下方へ、舗装体の敷均厚ｄだけ突出して下層に当接し、型枠として舗装体側縁部を成形する。また、本実施形態のエンドプレート１０では、下辺部１１の後端から後方へ、スクリード２の下面以下の高さとした型枠部１２が延長されている。本実施形態における型枠部１２の高さは、敷均厚ｄに一致している。
【００１７】
本実施形態のエンドプレート１０は、下端縁に形成したフランジ１３の下面に、所定の長さの型枠部材１４を溶接等にて固定した構造をもっている。型枠部材１４は、断面正方形の中空角棒からなり、その正方形の一辺の長さ（つまり太さ）を敷均厚ｄに一致させてある。この型枠部材１４の長さ（前後方向）は、エンドプレート１０にスクリード２を加えた長さとして、エンドプレート１０よりも後方へ飛び出すようにしてあり、つまり当該角棒の型枠部材１４によって、下辺部１１及び型枠部１２が一体形成されている。このような構造とすることで製造を容易にし、強度の高いエンドプレート１０を得られるものであるが、これに限られるわけではなく、施工条件によっては、すべてをプレスで一体成形した平板状のエンドプレートなども可能である。
【００１８】
本実施形態の場合、型枠部材１４からなる型枠部１２の内側面に、舗装体側縁部の肩部分を面取り成形するためのオーバーハング部１５が突設されている。オーバーハング部１５は、前方を頂点、後方を底面とした三角錐形の鉄片を内側面に溶接して構成され、前方から後方へ向かって徐々に肩部の面取りを大きく形成していくように造られている。舗装体側縁部の肩部分を面取り成形することにより、この後、舗装体を加圧するときに、側縁部の仕上がりがより良くなる。
【００１９】
このようなエンドプレート１０は、スクリード２の側方に枢設されて左右方向へ揺動可能とされている。詳細には、本実施形態のエンドプレート１０は、後端部にヒンジ部１６が設けられ、該ヒンジ部１６により、スクリード２の側面にボルト等で固定されたサイドプレート２０に枢着されている。したがってエンドプレート１０は、当該ヒンジ部１６を上下方向の軸として、左右方向へ揺動することができる。
【００２０】
本実施形態の場合、サイドプレート２０の前端縁にヒンジ部１６によってエンドプレート１０が枢着され、ほぼスクリード２の前端縁にエンドプレート１０の揺動軸が設けられている。型枠部１２とスクリード２との関係からするとこの構成が最良であるが、状況に応じてこの他の構成とすることも可能である。たとえば、ヒンジ部１６をサイドプレート２０の中央部分に設けたり、あるいは、サイドプレート２０をスクリード２の前方へ延長してその前端縁にヒンジ部１６を設けたりといった例も可能である。
【００２１】
サイドプレート２０は、その下端縁にフランジ２１が形成され、該フランジ２１が、型枠部１２つまり突き出した型枠部材１４の上面に当接することで、舗装材のはみ出し防止を確実にしている。このサイドプレート２０のフランジ２１の下側を通して、型枠部１２が後方へ延長されている。
【００２２】
以上の構成のエンドプレート１０は、カーブする舗装体の外周側にあたる場合、図２に示すように、その前部が外側へ開く方向（図示の場合は右）へ動かすことにより、図５に示す前端部Ｅｆについて設計線内側への入り込みを解決することができる。且つこの揺動制御に伴って、上記サイズの型枠部１２は、スクリード２の下へ潜り込むよう動くことができるので（図３Ｂ，Ｃ）、前部を外側へ開く方向へ動かす制御で同時に、図５に示す後端部Ｅｒについても、隙間Ｇの発生を解消することができる。このようなエンドプレート１０の揺動制御は、油圧駆動等、周知技術を利用して適宜実施することができる。
【００２３】
図４に、舗装体の端部をより強固に締固めるための端部締固め装置が追加される場合のエンドプレート１０について例示している。たとえば、端部締固め装置として、上記特許文献１にある振動式の端部締固めスクリードや、本願出願人による特願２００６−１３４５３１号のプレッシャーバーをスクリード２の後方へ設ける場合、これらはスクリード２の下面よりも下まで振動するので、型枠部１２をそのままさらに延長したのでは具合が悪い。そこでこの場合は、端部締固め装置の動作相当分だけ低くした型枠延長部１２’を型枠部１２の後端に形成して対処する。これは、型枠部材１４よりも細い中空角棒の延長部材１４’を溶接等で継ぎ足すなどで形成することができる。この場合におけるプレッシャーバーの下面は、傾斜堤部の無いフラットなものでよい。
【図面の簡単な説明】
【００２４】
【図１】本発明に係る締固め装置におけるエンドプレートの一例を説明する図。
【図２】図１のエンドプレートを揺動させた状態を説明する図。
【図３】図２中の矢示Ａ，Ｂ，Ｃでそれぞれ後ろから見た断面図。
【図４】本発明に係る締固め装置におけるエンドプレートの他の例を説明する図。
【図５】カーブする舗装体の外周側に対するエンドプレートの状態を説明する図で、分図Ｂは分図Ａの要部拡大図。
【符号の説明】
【００２５】
１，２  スクリード
１０  エンドプレート
１１  下辺部
１２  型枠部
１３  フランジ
１４  型枠部材
１５  オーバーハング部
１６  ヒンジ部
２０  サイドプレート
２１  フランジ
【図１】
2008038450.tif 000003
【図２】
2008038450.tif 000004
【図３】
2008038450.tif 000005
【図４】
2008038450.tif 000006
【図５】
2008038450.tif 000007